(57)【要約】【課題】  簡単に無言電話の相手先を着信拒否相手先として登録可能な電話装置を提供する。【解決手段】  着信があり、所定回数の着信音を鳴動した後に、自動的に回線を接続して発呼側からの用件メッセージの録音を開始する（Ｓ６ステップ）。これと同時にタイマーをスタートさせ（Ｓ７ステップ）、所定時間発呼側からの音声を検出しなければ（Ｓ８ステップ、Ｓ１４ステップ）、発呼側の電話番号を着信拒否相手先として自動的に登録する（Ｓ１５ステップ）。【選択図】図２
2008072268.tif 000002
【特許請求の範囲】
【請求項１】
着信があると発呼側からの用件メッセージを録音可能な電話装置であり、着信があり回線を接続し、発呼側からの用件メッセージの録音動作を開始してから所定時間の間、発呼側からの音声がなければ、発呼側を着信拒否の相手先として登録することを特徴とする電話装置。
【請求項２】
着信があると発呼側からの用件メッセージを録音可能な電話装置であり、
着信時に発呼側の電話番号を検出する電話番号検出手段と、着信後に自動的に回線を接続する回線接続手段と、当該回線接続手段が回線を接続してから所定時間を計時する計時手段と、当該計時手段が所定時間を計時している間に発呼側からの音声を検出する音声検出手段と、当該音声検出手段が、所定時間の間に発呼側からの音声を検出しなければ、前記電話番号検出手段が検出した電話番号を着信拒否番号として登録する着信拒否番号登録手段と、を有することを特徴とする電話装置。
【請求項３】
着信があると発呼側からの用件メッセージを録音可能な電話装置であり、
着信時に発呼側の電話番号を検出する電話番号検出手段と、着信後に自動的に回線を接続し応答メッセージを回線へ出力する応答手段と、当該応答手段が応答メッセージを回線へ出力開始すると、所定時間の計時を開始する計時手段と、当該計時手段が所定時間を計時している間に発呼側からの音声を検出する音声検出手段と、当該音声検出手段が、所定時間の間に発呼側からの音声を検出しなければ、前記電話番号検出手段が検出した電話番号を着信拒否番号として登録する着信拒否番号登録手段と、を有することを特徴とする電話装置。
【請求項４】
着信があると発呼側からの用件メッセージを録音可能な電話装置であり、
着信時に発呼側の電話番号を検出する電話番号検出手段と、着信後に自動的に回線を接続する回線接続手段と、当該回線接続手段が回線を接続してからの無音期間を計時する計時手段と、当該計時手段が予め定められた所定時間以上無音期間を計時すると、前記電話番号検出手段が検出した電話番号を着信拒否番号として登録する着信拒否番号登録手段と、を有することを特徴とする電話装置。
【請求項５】
着信があると発呼側からの用件メッセージを録音可能な電話装置であり、
着信時に発呼側の電話番号を検出する電話番号検出手段と、着信後に自動的に回線を接続して応答メッセージを回線へ出力する応答手段と、当該応答手段が応答メッセージを回線へ出力開始してからの無音期間を計時する計時手段と、当該計時手段が予め定められた所定時間以上無音期間を計時すると、前記電話番号検出手段が検出した電話番号を着信拒否番号として登録する着信拒否番号登録手段と、を有することを特徴とする電話装置。
【発明の詳細な説明】
【技術分野】
【０００１】
本発明は、留守時に発呼側からのメッセージを録音可能な電話装置に関する。
【背景技術】
【０００２】
現在のコードレス電話装置やファクシミリ装置は、留守録音機能を有したものが一般的である。この留守録音機能は、留守録音機能を実行するように設定した状態で、ユーザが外出し、この外出時に外線着信があると、所定回数の着信音の鳴動後に自動的に回線を接続し、「只今出かけております。ピーッという発信音の後にメッセージを入れてください。」というＯＧＭ（Ｏｕｔ  Ｇｏｉｎｇ  Ｍｅｓｓａｇｅ）、所謂応答メッセージを回線に出力し、発呼側からのＩＣＭ（Ｉｎ  Ｃｏｍｉｎｇ  Ｍｅｓｓａｇｅ）、所謂用件メッセージを回線から入力して録音する機能である。ユーザは外出先から帰宅した後に、この用件メッセージを聞くことにより留守中に着信のあった相手先からの伝言を聞くことができる。
【０００３】
このように便利な留守録音機能ではあるが、いたずら目的の発呼側から、無言のメッセージを入力されることもあり、着呼側の気分を害する場合もある。
【０００４】
このようないたずら電話対策の為の技術も数多く提案されており、例えば特許文献１には、着信拒否したい相手先をユーザが予め設定すると、そのユーザからの着信があっても自動的に回線を切断する技術が開示されている。
【特許文献１】特開２００１−２２３７８８号公報
【発明の開示】
【発明が解決しようとする課題】
【０００５】
しかしながら、上記特許文献１記載の技術では、ユーザが着信拒否の相手先を登録しなければ、無言電話などのいたずら目的の相手先からの着信を拒否することができない。又、ユーザが留守中に、ユーザが登録していない相手先から無言電話が数十回、数百回とあると、直ぐに用件メッセージを録音するメモリの記憶容量が足りなくなってしまい、必要な相手先からのメッセージが録音できなくなるといった問題が発生する。
【課題を解決するための手段】
【０００６】
本発明はこのような課題を解決する為のものであり、ユーザが一々着信拒否の相手先を登録しなくても、自動的に無言電話を行ってくる相手先を着信拒否の相手先として登録することを可能とするものである。
請求項１記載の電話装置は、着信があると発呼側からの用件メッセージを録音可能な電話装置であり、着信があり回線を接続し、発呼側からの用件メッセージの録音動作を開始してから所定時間の間、発呼側からの音声がなければ、発呼側を着信拒否の相手先として登録する。
請求項２記載の電話装置は、着信があると発呼側からの用件メッセージを録音可能な電話装置であり、着信時に発呼側の電話番号を検出する電話番号検出手段と、着信後に自動的に回線を接続する回線接続手段と、当該回線接続手段が回線を接続してから所定時間を計時する計時手段と、当該計時手段が所定時間を計時している間に発呼側からの音声を検出する音声検出手段と、当該音声検出手段が、所定時間の間に発呼側からの音声を検出しなければ、前記電話番号検出手段が検出した電話番号を着信拒否番号として登録する着信拒否番号登録手段と、を有することを特徴とする。
請求項３記載の電話装置は、着信があると発呼側からの用件メッセージを録音可能な電話装置であり、着信時に発呼側の電話番号を検出する電話番号検出手段と、着信後に自動的に回線を接続し応答メッセージを回線へ出力する応答手段と、当該応答手段が応答メッセージを回線へ出力開始すると、所定時間の計時を開始する計時手段と、当該計時手段が所定時間を計時している間に発呼側からの音声を検出する音声検出手段と、当該音声検出手段が、所定時間の間に発呼側からの音声を検出しなければ、前記電話番号検出手段が検出した電話番号を着信拒否番号として登録する着信拒否番号登録手段と、を有することを特徴とする。
請求項４に記載の電話装置は、着信があると発呼側からの用件メッセージを録音可能な電話装置であり、着信時に発呼側の電話番号を検出する電話番号検出手段と、着信後に自動的に回線を接続する回線接続手段と、当該回線接続手段が回線を接続してからの無音期間を計時する計時手段と、当該計時手段が予め定められた所定時間以上無音期間を計時すると、前記電話番号検出手段が検出した電話番号を着信拒否番号として登録する着信拒否番号登録手段と、を有することを特徴とする。
請求項５記載の電話装置は、着信があると発呼側からの用件メッセージを録音可能な電話装置であり、着信時に発呼側の電話番号を検出する電話番号検出手段と、着信後に自動的に回線を接続して応答メッセージを回線へ出力する応答手段と、当該応答手段が応答メッセージを回線へ出力開始してからの無音期間を計時する計時手段と、当該計時手段が予め定められた所定時間以上無音期間を計時すると、前記電話番号検出手段が検出した電話番号を着信拒否番号として登録する着信拒否番号登録手段と、を有することを特徴とする。
【発明の効果】
【０００７】
請求項１記載の電話装置によると、用件メッセージの録音動作を開始してから所定時間の間、発呼側からの音声がなければ発呼側を着信拒否相手先として登録する為、自動的に無言電話の相手先を着信拒否の相手先として登録することが可能である。
【０００８】
請求項２記載の電話装置によると、回線を接続してから所定時間発呼側からの音声を検出しなければ、発呼側を着信拒否相手先として登録する為、自動的に無言電話の相手先を着信拒否の相手先として登録することが可能である。
【０００９】
請求項３記載の電話装置によると、応答メッセージを出力してから所定時間発呼側からの音声を検出しなければ、発呼側を着信拒否相手先として登録する為、自動的に無言電話の相手先を着信拒否の相手先として登録することが可能である。
【００１０】
請求項４記載の電話装置によると、回線を接続してから所定時間無音であれば、発呼側を着信拒否相手先として登録する為、自動的に無言電話の相手先を着信拒否の相手先として登録することが可能である。
【００１１】
請求項５記載の電話装置によると、応答メッセージを出力してから所定時間無音であれば、発呼側を着信拒否相手先として登録する為、自動的に無言電話の相手先を着信拒否の相手先として登録することが可能である。
【発明を実施するための最良の形態】
【００１２】
図１は本発明を適用してなる実施例装置（電話装置）のブロック図である。
【００１３】
図１において、制御部１００は電話装置内部の各回路の制御を司る。又、制御部１００は、着信時に発呼側の電話番号を一時的に格納するバッファメモリ（図示せず）と所定時間の計時を行うタイマ（図示せず）とを有している。
ダイオードブリッジ１１０は回線Ｌと接続されており、回線Ｌの極性が反転しても装置内部の回路の電位を一定に保つ。リンガー検出部１２０は、回線Ｌに接続され、回線Ｌから一定周期で送られてくる周波数１６ヘルツの着信信号を検出すると上記着信を示す信号を制御部１００に送出する。
【００１４】
網制御部１３０は、上記制御部１００の制御の下で回線の閉結動作を行い、回線の極性反転を検出する機能も有している。ビープ音発生部１４０は、制御部１００の制御の下で例えば２キロヘルツのビープ音を網制御部１３０を介して回線Ｌへ送出する。
【００１５】
スピーカ１５０は、アンプ１６０とミュート回路１７０を介して制御部１００と接続されており、上記リンガー検出部１２０により回線Ｌからの着信信号が検出された際に着信音を送出し、又、後述する用件メッセージ格納部２４０に格納された用件メッセージの再生時にこのメッセージを送出する。
【００１６】
ミュート回路１７０は、制御部１００の制御の下で、スピーチネットワーク部１８０から入力した音声信号や着信音等をスピーカから送出させないようにする。スピーチネットワーク部１８０は、音声信号の通過するラインの接続切換を行う。
【００１７】
送受話部１９０のスピーカ１９１は、アンプ１９２を介して上記スピーチネットワーク部１８０と接続されており、回線Ｌから入力した発呼側の音声信号を送出する。送受話部１９０のマイク１９３は、アンプ１９４を介して上記スピーチネットワーク部１８０と接続されており、ユーザの発した音声信号をスピーチネットワーク部１８０へ送出する。
フック検出部２００は、制御部１００と接続されており、上記送受話部１９０のオンフック、オフフックを検出する。
発呼側番号検出部２１０は、スピーチネットワーク部１８０と制御部１００とに接続されており、着信時に回線Ｌからの発呼側電話番号を検出する。
入力部２２０は、テンキーや、後述する用件メッセージ格納部２４０に格納された用件メッセージを再生する為の用件再生キー等を有しており、入力部２２０で入力された信号は制御部１００に送出される。
【００１８】
電話帳メモリ２３０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の書き換え自由な不揮発性メモリからなり、電話番号と発呼側の名称とを対にして複数件格納可能である。
【００１９】
用件メッセージ格納部２４０は、例えばＥＥＰＲＯＭからなり、電話装置が留守録音を開始した際に回線Ｌから入力した発呼側の用件メッセージを格納する領域と、上記用件メッセージに対応する発呼側の電話番号を格納する領域とを有しており、上記発呼側番号検出部２１０が着信時に発呼側の電話番号を検出した場合には、上記用件メッセージと発呼側の電話番号とを対にして格納可能であり、これらの情報を複数件格納可能である。又、着信時に前記発呼側番号検出部２１０が電話番号を検出しなかった場合には、用件メッセージのみ用件メッセージ格納部２４０に格納される。尚、用件メッセージに対応して着信した日付、日時等を格納しても良い。
【００２０】
表示部２５０は、上記入力部２２０から入力された電話番号や、上記電話帳メモリ２３０に格納されている電話番号及び名称等を表示することが可能である。又、上記用件メッセージ格納部２４０に格納されている発呼側からの用件メッセージを再生（スピーカ１５０から送出）している際に、上記用件メッセージ格納部２４０に上記発呼側のメッセージと対となって格納されている発呼側の電話番号を表示する。
【００２１】
拒否番号格納部２６０は、例えばＥＥＰＲＯＭ等からなり、着信を拒否する相手先の電話番号が格納される。本実施例では、着信があり、用件メッセージを録音開始してから所定時間以上発呼側からの音声を検出しなければ、この着信の電話番号を着信拒否電話番号として拒否番号格納部２６０に格納する。尚、拒否番号格納部２６０に格納する電話番号は、ユーザが入力部２２０からキー操作を行うことにより入力しても良いし、電話帳メモリ２３０に格納されている相手先の中から選択しても良い。
【００２２】
応答メッセージ格納部２７０は、例えばＥＥＰＲＯＭ等からなり、用件メッセージを格納する前に発呼側へ送出する応答メッセージ（例えば、"ただ今でかけております、発信音の後にメッセージを入れてください"）を格納している。
【００２３】
次に、本実施例装置の動作について以下に説明する。
【００２４】
Ｓ１ステップにおいて、制御部１００は、リンガー検出部１２０から呼出信号があることを示す信号を検出すると、呼出し信号ありと判定し、Ｓ２ステップへ処理を進める。
【００２５】
Ｓ２ステップにおいて、制御部１００は、発呼側番号検出部２１０から、発呼側からの電話番号データを受信すると、制御部１００内部にある図示しないバッファメモリに、発呼側の電話番号を一時的に格納する。尚、発呼側が公衆電話から電話をかけている場合や、電話番号の頭に１８４を付加して発呼している場合には、発呼側の電話番号が受信されないため、バッファメモリに電話番号は格納されない。
【００２６】
Ｓ３ステップでは、制御部１００は、リンガー検出部１２０が検出する呼出信号のカウントを開始する。尚、このとき制御部１００は、スピーカ１５０から出力するユーザに対する呼出音の回数をカウントする構成としても良い。
【００２７】
Ｓ４ステップでは、制御部１００は、スピーカ１５０から呼出音を出力させ、Ｓ５ステップへ処理を進める。
【００２８】
Ｓ５ステップでは、制御回路１００は、Ｓ３ステップでカウント開始した呼出音の鳴動回数或いは、リンガー検出部１２０が検出する呼出信号の数が予め定められた回数以上であると判定するとＳ６ステップへ処理を進め、そうでなければ、Ｓ４ステップへ処理を戻す。
【００２９】
Ｓ６ステップでは、制御回路１００は、網制御部１３０を制御することにより、回線を接続させ、応答メッセージ格納部２７０から応答メッセージデータを読み込んで回線へ出力し、続いて回線からの用件メッセージを受信して用件メッセージ格納部２４０に格納する。尚、この時、制御回路１００のバッファメモリに格納された発呼側の電話番号データと受信した用件メッセージを対応付けて、用件メッセージ格納部２４０に格納する。
【００３０】
Ｓ７ステップでは、制御回路１００は、内部に搭載しているタイマーに所定時間の計時を開始させる。尚、この所定時間とは、ユーザが予め設定した時間でも良いし、工場出荷時に設定された時間でも良い。
【００３１】
尚、上記Ｓ６ステップにおいて、用件メッセージの録音を開始してからタイマーをスタートさせたが、Ｓ６ステップの回線接続開始からタイマーをスタートさせても良いし、応答メッセージの送出が終了してからタイマーをスタートさせても良い。
【００３２】
続くＳ８ステップにおいて、制御部１００は、発呼側からの音声を検出すると、Ｓ９ステップへ処理を進め、そうでなければ、Ｓ１４ステップへ処理を進める。
【００３３】
尚、本実施例では、制御部１００内部に発呼側からの音声を検出する機能を搭載させたが、制御部１００以外にＤＳＰ（Ｄｉｇｉｔａｌ  Ｓｉｇｎａｌ  Ｐｒｏｃｅｓｓｏｒ）等の集積回路を搭載させ、このＤＳＰが回線からの音声を検出する構成としても良い。その音声の検出方法としては、例えば所定レベルの振幅の信号、所定の周波数の信号等を検出すると音声と判定する方法等が考えられる。
【００３４】
Ｓ９ステップでは、制御部１００は、前記Ｓ７ステップで計時を開始したタイマーをクリアし、Ｓ１０ステップへ処理を進める。
【００３５】
Ｓ１０ステップでは、制御回路１００は、フック検出部２００からハンドセットがオフフックされたことを示す信号を検出すると、Ｓ１１ステップへ処理を進め、そうでなければ、Ｓ１３ステップへ処理を進める。
【００３６】
Ｓ１１ステップでは、制御回路１００は、前記Ｓ６ステップで録音した用件メッセージを消去し、Ｓ１２ステップへ処理を進める。
【００３７】
Ｓ１２ステップでは、制御回路１００は、スピーチネットワーク部１８０と網制御部１３０を制御することにより、回線Ｌと送受話部１９０を接続し、発呼側との通話処理を行ない、通話終了後、Ｓ１７ステップで回線を切断し、処理を終了する。
【００３８】
一方、Ｓ１３ステップでは、制御回路１００は、網制御部１３０から、発呼側がオンフックしたことを示す信号を検出すると、Ｓ１７ステップへ処理を進め、そうでなければ、Ｓ１０ステップへ処理を戻す。尚、このオンフックの検出は、網制御部１３０が例えば回線Ｌの極性反転を検出することにより、発呼側がオンフックしたことを検出する。
【００３９】
Ｓ１４ステップでは、制御回路１００は、Ｓ７ステップでカウント開始したタイマーが所定時間（例えば１０秒）計時したと判定するとタイマーをクリアし、Ｓ１５ステップへ処理を進め、そうでなければ、Ｓ１６ステップへ処理を進める。
【００４０】
Ｓ１５ステップでは、制御回路１００が、前記Ｓ２ステップで受信しバッファメモリに一時的に格納した発呼側の電話番号を着信拒否格納部２６０に格納し、Ｓ１７ステップへ処理を進める。
【００４１】
尚、この時Ｓ６ステップで録音した発呼側からの音声（この場合、ノイズのみが録音されている場合或いは無音のデータである。）を消去しても良い。無音データとしてメモリに格納されてデータを消去することにより、メモリの容量を有効活用することができる。
【００４２】
Ｓ１６ステップでは、制御回路１００が、Ｓ１３ステップと同様に相手側がオンフックしたと判定すると、タイマーをクリアしＳ１７ステップへ処理を進め、そうでなければ、Ｓ８ステップへ処理を進める。
【００４３】
Ｓ１７ステップでは、制御回路１００が、網制御部１３０を制御することにより、回線Ｌを切断し、処理を終了する。
【００４４】
このように、無言電話の相手からの着信は自動的に着信拒否相手先として登録される。続いて登録された着信拒否相手先からの着信があっても、呼出音を鳴動させずに自動的に回線を切断したり、回線を自動的に接続して発呼側にメッセージ（例えば、「この番号からの着信は受付られません」）を送出したり、回線を自動的に接続して撃退音（例えば、ビープ音）を送出することにより、無言電話の相手先からの着信を拒否することができる。
【００４５】
尚、本実施例では、所定時間音声を検出しなかったら拒否相手先として登録する構成としているが、音声以外のＤＴＭＦ信号や発呼側の周囲の騒音等も検出しなかったら、即ち、無音であることを検出したら発呼側の電話番号を拒否相手先として登録する構成としても良い。
【００４６】
又、無音であることを検出し更にビジートーンを検出すると、発呼側の電話番号を拒否相手先として登録する構成としても良い。このような構成とすることにより、用件メッセージの録音の間、全く音声を発しなかった相手先のみ拒否相手先として登録することができる。
【００４７】
このように、本実施例装置では、無言電話の相手先からの着信があると、自動的にその相手先を着信拒否相手先として登録する為、ユーザが一々登録操作を行わなくとも容易に着信拒否相手先を登録することができる。
【００４８】
又、同じ相手先からの着信が今後あっても、用件メッセージが録音されない為、用件メッセージを格納するメモリの容量を有効活用することができる。
【図面の簡単な説明】
【００４９】
【図１】は、本発明を適用してなる実施例装置のブロック図である。
【図２】は、本実施例装置の動作を示すフロー図である。
【符号の説明】
【００５０】
１００  制御部
２１０  発呼側番号検出部
２４０  用件メッセージ格納部
２６０  拒否番号格納部
２７０  応答メッセージ格納部
【図１】
2008072268.tif 000003
【図２】
2008072268.tif 000004